(57)【要約】【課題】イコライザのゲイン特性の設定を支援する「イコライザ設定支援システム及びイコライザ設定装置」を提供する。【解決手段】ゲイン特性編集ウインドウ（ｂ）上で、ユーザのゲイン特性の編集を受け付け（ｃ、ｄ）、検索指示が発生したならば編集したゲイン特性を検索キーとする検索要求をＥＱ設定データ提供サーバ３１に発行することにより、ＥＱ設定データ提供サーバ３１に予め登録されているオーソライズされたゲイン特性のうちから、検索キーに近似したゲイン特性を取得し、その一覧を検索結果一覧ウインドウ（ｅ）に表示する。そして、設定指示が発生したならば、ユーザから一覧上で選択されたゲイン特性を、イコライザに設定する。【選択図】図４
2014027514.tif 000002
【特許請求の範囲】
【請求項１】
オーディオシステムのイコライザの設定を支援するイコライザ設定支援システムであって、
ゲインの周波数特性であるゲイン特性を表すゲイン特性データを複数登録したゲイン特性サーバと、
前記ゲイン特性サーバにアクセス可能なイコライザ設定装置とを有し、
前記イコライザ設定装置は、
ユーザの編集操作に応じて、前記ゲイン特性を編集するゲイン特性編集手段と、
前記ゲイン特性編集手段が編集したゲイン特性に近似したゲイン特性を表すゲイン特性データを前記ゲイン特性サーバから取得し、取得したゲイン特性データが表すゲイン特性を前記イコライザのゲイン特性として設定するゲイン特性設定手段とを有することを特徴とするイコライザ設定支援システム。
【請求項２】
請求項１記載のイコライザ設定支援システムであって、
前記イコライザ設定装置の前記ゲイン特性設定手段は、前記ゲイン特性編集手段が編集したゲイン特性に近似したゲイン特性を表すゲイン特性データを複数前記ゲイン特性サーバから取得して、取得したゲイン特性データの一覧を表示し、表示した一覧上で選択されたゲイン特性データが表すゲイン特性を前記イコライザのゲイン特性として設定することを特徴とするイコライザ設定支援システム。
【請求項３】
請求項１または２記載のイコライザ設定支援システムであって、
前記イコライザ設定装置の前記ゲイン特性編集手段は、前記ゲイン特性データを前記ゲイン特性サーバから取得し、取得したゲイン特性データが表すゲイン特性を表すグラフ上に、各周波数帯域のゲインの設定を受け付けるための操作子を、当該操作子の前記グラフ上の位置が、当該操作子が設定を受け付ける周波数帯域と、当該操作子によって受け付けたゲインの設定値とに対応するように配置した編集画面を表示し、当該編集画面の前記操作子に対するユーザ操作を受け付けることにより、前記ゲイン特性の編集操作を受け付けることを特徴とするイコライザ設定支援システム。
【請求項４】
オーディオシステムのイコライザの設定を行うイコライザ設定装置であって、
ユーザの編集操作に応じて、ゲインの周波数特性であるゲイン特性を編集するゲイン特性編集手段と、
前記ゲイン特性編集手段が編集したゲイン特性に近似したゲイン特性を表すゲイン特性データを、前記ゲイン特性を表すゲイン特性データが複数登録されたゲイン特性サーバから取得し、取得したゲイン特性データが表すゲイン特性を前記イコライザのゲイン特性として設定するゲイン特性設定手段とを有することを特徴とするイコライザ設定装置。
【請求項５】
コンピュータによって読み取られ実行されるコンピュータプログラムであって、
前記コンピュータに、
ユーザの編集操作に応じて、ゲインの周波数特性であるゲイン特性を編集するゲイン特性編集ステップと、
前記編集したゲイン特性に近似したゲイン特性を表すゲイン特性データを、前記ゲイン特性を表すゲイン特性データが複数登録されたゲイン特性サーバから取得し、取得したゲイン特性データが表すゲイン特性を、オーディオシステムのイコライザのゲイン特性として設定するゲイン特性設定ステップとを実行させることを特徴とするコンピュータプログラム。
【発明の詳細な説明】
【技術分野】
【０００１】
本発明は、ＡＶ装置のイコライザの音響特性を設定する技術に関するものである。
【背景技術】
【０００２】
ＡＶ装置のイコライザの音響特性を設定する技術としては、ユーザの編集操作に応じて、周波数帯毎のゲインを表すゲイン特性を編集し、編集したゲイン特性をイコライザのゲイン特性として設定する技術が知られている（たとえば、特許文献１）。
ここで、この技術では、ゲイン特性の編集は、周波数帯毎のゲインを表すグラフを表示しながら、ユーザから受け付けた周波数帯毎のゲイン変更操作に従って各周波数帯域のゲインを変更することにより行われている。
【先行技術文献】
【特許文献】
【０００３】
【特許文献１】特許第3960292号公報
【発明の概要】
【発明が解決しようとする課題】
【０００４】
専門的なスキルを備えていない一般ユーザにとって、嗜好にあった良質な音質を得られるように厳密にイコライザのゲイン特性を設定することは困難である。そして、このために、所望の音質を得ることをあきらめて妥協してしまったり、イコライザのゲイン特性の設定に長時間の試行錯誤を要するなどの問題が生じていた。
【０００５】
そこで、本発明は、容易に嗜好にあった良質な音質を得られるゲイン特性を設定できるように、ユーザのイコライザのゲイン特性の設定を支援することを課題とする。
【課題を解決するための手段】
【０００６】
前記課題達成のために、本発明は、オーディオシステムのイコライザの設定を支援するイコライザ設定支援システムとして、ゲインの周波数特性であるゲイン特性を表すゲイン特性データを複数登録したゲイン特性サーバと、前記ゲイン特性サーバにアクセス可能なイコライザ設定装置とよりなるシステムを提供する。ただし、前記イコライザ設定装置は、ユーザの編集操作に応じて、前記ゲイン特性を編集するゲイン特性編集手段と、前記ゲイン特性編集手段が編集したゲイン特性に近似したゲイン特性を表すゲイン特性データを前記ゲイン特性サーバから取得し、取得したゲイン特性データが表すゲイン特性を前記イコライザのゲイン特性として設定するゲイン特性設定手段とを備えたものである。
【０００７】
このようなイコライザ設定支援システムによれば、前記ゲイン特性サーバに、専門的なスキルを備えた者によって作成された、したがって、良質な音質が得られることが期待できるゲイン特性を表すゲイン特性データを複数登録しておくことにより、オーディオシステムのイコライザに、ユーザが編集したゲイン特性、すなわち、ユーザが嗜好にあった音質が得られるようにおおよそ編集したゲイン特性に近似しつつ、良質な音質が得られるゲイン特性を設定することができる。
【０００８】
ここで、このようにしてイコライザに設定されるゲイン特性は、ユーザの嗜好にあった良質な音質が得られるゲイン特性であると考えられるので、本発明によれば、容易に嗜好にあった良質な音質を得られるゲイン特性を設定できるように、ユーザのイコライザのゲイン特性の設定を支援することができることとなる。
【０００９】
ここで、このようなイコライザ設定支援システムは、前記イコライザ設定装置の前記ゲイン特性設定手段において、前記ゲイン特性編集手段が編集したゲイン特性に近似したゲイン特性を表すゲイン特性データを複数前記ゲイン特性サーバから取得して、取得したゲイン特性データの一覧を表示し、表示した一覧上で選択されたゲイン特性データが表すゲイン特性を前記イコライザのゲイン特性として設定するように構成してもよい。
【００１０】
また、このようなイコライザ設定支援システムは、前記イコライザ設定装置の前記ゲイン特性編集手段において、前記ゲイン特性データを前記ゲイン特性サーバから取得し、取得したゲイン特性データが表すゲイン特性を表すグラフ上に、各周波数帯域のゲインの設定を受け付けるための操作子を、当該操作子の前記グラフ上の位置が、当該操作子が設定を受け付ける周波数帯域と、当該操作子によって受け付けたゲインの設定値とに対応するように配置した編集画面を表示し、当該編集画面の前記操作子に対するユーザ操作を受け付けることにより、前記ゲイン特性の編集操作を受け付けるように構成してもよい。
【発明の効果】
【００１１】
以上のように、本発明によれば、容易に嗜好にあった良質な音質を得られるゲイン特性を設定できるように、ユーザのイコライザのゲイン特性の設定を支援することができる。
【図面の簡単な説明】
【００１２】
【図１】本発明の実施形態に係るイコライザ設定支援システムの構成を示すブロック図である。
【図２】本発明の実施形態に係るＥＱ設定データＤＢの内容を示す図である。
【図３】本発明の実施形態に係るイコライザ設定処理を示すフローチャートである。
【図４】本発明の実施形態に係るイコライザ設定処理による表示例を示す図である。
【発明を実施するための形態】
【００１３】
以下、本発明の実施形態について説明する。
図１に、本実施形態に係るイコライザ設定支援システムの構成を示す。
図示するように、イコライザ設定支援システムは、オーディオ装置１と、オーディオ装置１と接続可能なスマートフォン２と、スマートフォン２がＷＡＮ４を介してアクセス可能なＥＱ設定支援センタシステム３とより構成される。ここで、ＷＡＮ４は、移動体通信網と、移動体通信網が接続したインターネットなどのネットワークとを含んで構成される。
【００１４】
そして、オーディオ装置１は、たとえば、自動車に搭載される装置であり、図示するように、入力装置１０１、入力した音声を増幅等の処理を行った上でスピーカ１０２へ出力する音声出力装置１０３、表示装置１０４、デバイスインタフェース１０５、制御部１０６、メディアプレイヤ１０７、ラジオ放送の受信を行うラジオ受信機１０８、CDやDVDなどの記録ディスクの再生を行うディスクドライブ１０９、記憶装置１１０とを備えている。
【００１５】
ここで、メディアプレイヤ１０７は、ラジオ受信機１０８がラジオ放送から受信した音声の音声出力装置１０３を介したスピーカ１０２への出力や、ディスクドライブ１０９に装着された記録ディスクや記憶装置１１０に記録されているオーディオコンテンツの再生と音声出力装置１０３を介したスピーカ１０２への出力を行う。また、メディアプレイヤ１０７は、イコライザを内蔵しており、設定されたイコライザ設定データに従ったゲイン特性で、ラジオ放送から受信した音声や、記録ディスクや記憶装置１１０に記録されているオーディオコンテンツの音声の周波数特性を変更した上で、音声出力装置１０３を介してスピーカ１０２に出力する。
【００１６】
次に、スマートフォン２は、ユーザによって携帯されるモバイル装置であり、図示するように、記憶部２０１、操作部２０２、ディスプレイ２０３、マイクやスピーカ１０２などを備えた音声入出力部２０４、ホストインタフェース２０５、移動体通信網にアクセスするための移動通信装置２０６、オペレーティングシステム２０７を備えている。また、スマートフォン２は、オペレーティングシステム２０７によって管理されオペレーティングシステム２０７上で稼働するアプリケーションとして、移動電話アプリケーション２０８や、オーディオ設定アプリケーション２０９などのアプリケーションを備えている。
【００１７】
ここで、移動電話アプリケーション２０８は、移動通信装置２０６や音声入出力部２０４や操作部２０２を用いた移動電話機能を提供するアプリケーションであり、オーディオ設定アプリケーション２０９は、オーディオ装置１のメディアプレイヤ１０７のイコライザに上述したイコライザ設定データを設定するイコライザ設定処理を行う。
【００１８】
なお、スマートフォン２のホストインタフェース２０５は、車載装置のデバイスインタフェース１０５は、Bluetooth（登録商標）や、WIFIなどの無線通信インタフェースによって無線接続して相互通信を行う。
次に、ＥＱ設定支援センタシステム３は、ＷＡＮ４に接続したＥＱ設定データ提供サーバ３１と、ＥＱ設定データのデータベースである、ＥＱ設定データＤＢ３２を備えている。
ＥＱ設定データＤＢ３２には、図２に示すように、複数のオーソライズＥＱ設定データが蓄積されている。そして、各オーソライズＥＱ設定データは、タイトル、ゲイン特性データ、お奨め度が登録されている。
ここで、各オーソライズＥＱ設定データのゲイン特性データは、イコライザのゲイン特性の設定についてのスキルを有するエキスパートとしてＥＱ設定支援センタシステム３の運営者によって承認された者によって作成されたイコライザのゲイン特性を表すものである。また、各オーソライズＥＱ設定データのタイトルには、当該オーソライズＥＱ設定データのゲイン特性データの作成者やゲイン特性データが適した音楽の種類（たとえば、女性ボーカル向きなど）やゲイン特性データが適した音響環境（たとえば、ミニバン車内向き）やゲイン特性データが適したオーディオ装置の構成（たとえば、サブウーハー有り装置向け）などを表すテキストが登録されている。また、各オーソライズＥＱ設定データのお奨め度には、ＥＱ設定支援センタシステム３の運営者が設定した、当該オーソライズＥＱ設定データのゲイン特性データのお奨めの度合いが登録されている。
【００１９】
以下、このような構成において、スマートフォン２のオーディオ設定アプリケーション２０９が行う、上述したイコライザ設定処理について説明する。なお、イコライザ設定処理は、ユーザによってオーディオ設定アプリケーション２０９が起動されると実行される処理である。
【００２０】
図３に、このイコライザ設定処理の手順を示す。
図示するように、スマートフォン２のオーディオ設定アプリケーション２０９は、イコライザ設定処理において、まず、ＥＱ設定データ提供サーバ３１に、お奨めオーソライズＥＱ設定データを要求することにより、お奨めオーソライズＥＱ設定データを取得する（ステップ３０２）。
【００２１】
ここで、ＥＱ設定データ提供サーバ３１は、オーディオ設定アプリケーション２０９から、お奨めオーソライズＥＱ設定データの要求を受け取ると、ＥＱ設定データＤＢ３２から、登録されているお奨め度が高いオーソライズＥＱ設定データを所定数抽出して、お奨めオーソライズＥＱ設定データとして、オーディオ設定アプリケーション２０９に送信する。
【００２２】
次に、スマートフォン２のオーディオ設定アプリケーション２０９は、図４ａに示すようなオーソライズＥＱ設定データ一覧ウインドウを表示する（ステップ３０４）。
ここで、図４ａに示すように、オーソライズＥＱ設定データ一覧ウインドウには、取得した各お奨めオーソライズＥＱ設定データのタイトルの一覧４０１と、タイトルの一覧４０１上で選択されたタイトルである選択タイトルに対応するお奨めオーソライズＥＱ設定データのゲイン特性データが表すゲイン特性を示すゲイン特性グラフ４０２と、「編集ボタン」４０３と「設定ボタン」４０４とを表示する。なお、オーソライズＥＱ設定データ一覧ウインドウの表示開始時には、タイトルの一覧４０１中の先頭のタイトルを選択タイトルに自動設定する。また、ゲイン特性グラフ４０２は、周波数を横軸、ゲインを縦軸として、周波数帯域毎にゲインの大きさを表す棒グラフである。
【００２３】
さて、図３に戻り、オーソライズＥＱ設定データ一覧ウインドウを表示したならば（ステップ３０４）、ユーザのタイトルの一覧４０１上でのタイトルの選択操作の発生と（ステップ３０６）、ユーザの「設定ボタン」４０４の操作による設定指示の発生と（ステップ３０８）、ユーザの「編集ボタン」４０３の操作による編集指示の発生と（ステップ３１０）とを監視する。
【００２４】
そして、タイトルの選択操作が発生した場合には（ステップ３０６）、選択タイトルを今回ユーザから選択されたタイトルに更新し、オーソライズＥＱ設定データ一覧ウインドウのゲイン特性グラフ４０２の表示を今回ユーザから選択されたタイトルに対応するお奨めオーソライズＥＱ設定データのゲイン特性データが表すゲイン特性を示すものに更新し（ステップ３１２）、ステップ３０６-３１０の監視に戻る。
【００２５】
一方、設定指示が発生した場合には（ステップ３０８）、設定指示が発生した時点における選択タイトルに対応するお奨めオーソライズＥＱ設定データのゲイン特性データ、すなわち、最後にゲイン特性グラフ４０２が表示されていたゲイン特性データを、イコライザ設定データとして、オーディオ装置１のメディアプレイヤ１０７のイコライザに設定し（ステップ３１４）、イコライザ設定処理を終了する。
【００２６】
一方、編集指示が発生した場合には（ステップ３１０）、編集指示が発生した時点における選択タイトルに対応するお奨めオーソライズＥＱ設定データのゲイン特性データを基準ゲイン特性データに設定する（ステップ３１６）。
そして、ステップ３１８に進み、表示中のウインドウを閉じ、図４ｂに示すゲイン特性編集ウインドウを表示する。
ここで、図４ｂに示すように、ゲイン特性編集ウインドウには、周波数を横軸、ゲインの大きさを縦軸として、周波数帯域毎にゲインの大きさの設定を受け付けるための、周波数帯域毎に設けたコントロールバー４１２を配置した、コントロール画面４１０を表示する。ここで、各コントロールバー４１２は先端（上方向端）の高さが、当該コントロールバー４１２が表すゲインの大きさとなる。
【００２７】
また、コントロール画面４１０には、各コントロールバー４１２の背景として、コントロールバー４１２と共通の縦軸（ゲイン）と横軸（周波数）とを用いて表した、基準ゲイン特性データのゲイン特性を表すゲイン特性グラフ４１１も表示する。すなわち、各周波数帯域について、当該周波数帯域のゲインの大きさの設定を受け付けるためのコントロールバー４１２が、ゲイン特性グラフ４１１中の当該周波数帯域のゲインを表す棒に重畳して表示されるように、コントロール画面４１０は構成する。このようにコントロール画面４１０を構成することにより、ユーザは、選択したお奨めオーソライズＥＱ設定データのゲイン特性データが表すゲイン特性と直接照合しつつゲイン特性を編集することができるようになる。
【００２８】
また、ゲイン特性編集ウインドウには、「戻る」ボタン４１３と「検索ボタン」４１４と「設定ボタン」４１５とを表示する。
図３に戻り、ゲイン特性編集ウインドウを表示したならば（ステップ３１８）、ユーザのコントロールバー操作の発生と（ステップ３２０）、ユーザの「設定ボタン」４１５の操作による設定指示の発生と（ステップ３２２）、ユーザの「検索ボタン」４１４の操作による検索指示の発生と（ステップ３２４）とを監視する。
【００２９】
そして、ユーザのコントロールバー操作が発生した場合には（ステップ３２０）、ユーザのコントロールバー操作に応じて、ゲイン特性編集ウインドウのコントロール画面４１０の各コントロールバー４１２の先端を上下に移動して、各コントロールバー４１２が表すゲインの大きさを変更し（ステップ３２６）、ステップ３２０-３２４の監視に戻る。
【００３０】
ここで、ユーザのコントロールバー操作は、図４ｃに示すように、ユーザの指４２０によるコントロール画面上のなぞり操作によって受け付け、ステップ３２６では、図４ｄに示すように、各コントロールバー４１２の先端が、当該コントロールバー４１２を通る縦線と、ユーザのなぞり操作の軌跡（図４ｃの４２１）との交点に位置となるように、当該先端を上下に移動する。
【００３１】
さて、図３に戻り、設定指示が発生した場合には（ステップ３２２）、設定指示が発生した時点における各周波数帯域のコントロールバー４１２の先端高さが表すゲインの大きさを、当該周波数帯域のゲインとするゲイン特性を表すゲイン特性データを、イコライザ設定データとして、オーディオ装置１のメディアプレイヤ１０７のイコライザに設定し（ステップ３２８）、イコライザ設定処理を終了する。
【００３２】
一方、検索指示が発生した場合には（ステップ３２４）、検索指示が発生した時点における各周波数帯域のコントロールバー４１２の先端高さが表すゲインの大きさを、当該周波数帯域のゲインとするゲイン特性を表すゲイン特性データを検索キーとする検索要求をＥＱ設定データ提供サーバ３１に発行することにより、近似ＥＱ設定データを取得する（ステップ３３０）。
【００３３】
ここで、ＥＱ設定データ提供サーバ３１は、オーディオ設定アプリケーション２０９から、検索要求を受け取ると、ＥＱ設定データＤＢ３２から、検索キーとして指定されたゲイン特性データが表すゲイン特性に対する近似の度合いが大きいゲイン特性を表すゲイン特性データが登録されているオーソライズＥＱ設定データを所定数抽出して、近似ＥＱ設定データとして、オーディオ設定アプリケーション２０９に送信する。ここで、二つのゲイン特性間の近似の度合いは、たとえば、各周波数帯域毎に求めた両ゲイン特性のゲインの差分の自乗の総和が、小さいほど、二つのゲイン特性の近似の度合いが大きくなるように算出する。
【００３４】
次に、スマートフォン２のオーディオ設定アプリケーション２０９は、表示中のウインドウを閉じ、図４ｅに示すような検索結果一覧ウインドウを表示する（ステップ３３２）。
ここで、図４ｅに示すように、検索結果一覧ウインドウには、取得した各近似ＥＱ設定データのタイトルの一覧４５１と、タイトルの一覧４５１上で選択されたタイトルである選択タイトルに対応する近似ＥＱ設定データのゲイン特性データが表すゲイン特性を示すゲイン特性グラフ４５２と、「戻る」ボタン４５３と「編集ボタン」４５４と「設定ボタン」４５５とを表示する。なお、検索結果一覧ウインドウの表示開始時には、タイトルの一覧４５１中の先頭のタイトルを選択タイトルに自動設定する。
【００３５】
さて、図３に戻り、検索結果一覧ウインドウを表示したならば（ステップ３３２）、ユーザのタイトルの一覧４５１上でのタイトルの選択操作の発生と（ステップ３３４）、ユーザの「設定ボタン」４５５の操作による設定指示の発生と（ステップ３３６）、ユーザの「編集ボタン」４５４の操作による編集指示の発生と（ステップ３３８）を監視する。
【００３６】
そして、タイトルの選択操作が発生した場合には（ステップ３３４）、選択タイトルを今回ユーザから選択されたタイトルに更新し、検索結果一覧ウインドウのゲイン特性グラフ４５２の表示を今回ユーザから選択されたタイトルに対応する近似ＥＱ設定データのゲイン特性データが表すゲイン特性を示すものに更新し（ステップ３４０）、ステップ３３４-３３８の監視に戻る。
【００３７】
一方、設定指示が発生した場合には（ステップ３３６）、設定指示が発生した時点における選択タイトルに対応する近似設定データのゲイン特性データ、すなわち、最後にゲイン特性グラフ４５２が表示されていたゲイン特性データを、イコライザ設定データとして、オーディオ装置１のメディアプレイヤ１０７のイコライザに設定し（ステップ３４２）、イコライザ設定処理を終了する。
【００３８】
ここで、近似設定データのゲイン特性データが示すゲイン特性は、ユーザが編集したゲイン特性、すなわち、ユーザの嗜好にあった音質が得られるようにおおよそ編集したゲイン特性に近似しつつ、良質な音質が得られるゲイン特性となる。よって、以上のようにしてイコライザに設定されるゲイン特性は、ユーザの嗜好にあった良質な音質に対応するゲイン特性である蓋然性が大きい。よって、このようにすることにより、ユーザのイコライザのゲイン特性の設定を、容易に嗜好にあった良質な音質を得られるように支援することができることとなる。
【００３９】
一方、編集指示が発生した場合には（ステップ３３８）、編集指示が発生した時点における選択タイトルに対応する近似ＥＱ設定データのゲイン特性データを上述した基準ゲイン特性データに設定し（ステップ３４４）、ステップ３１８からの処理に戻る。
以上、スマートフォン２のオーディオ設定アプリケーション２０９が行うイコライザ設定処理について説明した。
なお、以上のイコライザ設定処理では、ゲイン特性編集ウインドウの「戻る」ボタン４１３や、検索結果一覧ウインドウの「戻る」ボタン４５３のユーザ操作に応じて、イコライザ設定処理の状態やウインドウの表示を、表示中のウインドウの前に表示していたウインドウを表示していたときの状態に復帰する処理も行う。
【００４０】
以上、本発明の実施形態について説明した。
なお、以上の実施形態は、スマートフォン２に代えて、ＰＤＡや、携帯電話などの任意の携帯装置を車載装置に接続して用いる場合に同様に適用可能である。
また、以上の実施形態は、スマートフォン２のオーディオ設定アプリケーション２０９や移動通信装置２０６を設けたが、これは、スマートフォン２のオーディオ設定アプリケーション２０９をオーディオ装置１に備え、オーディオ装置１のオーディオ設定アプリケーション２０９がスマートフォン２の移動通信装置２０６を用いて以上の処理を行うようにしてもよいし、スマートフォン２のオーディオ設定アプリケーション２０９や移動通信装置２０６をオーディオ装置１に設けて、オーディオ装置単体で、以上の処理を行えるようにしてもよい。
【符号の説明】
【００４１】
１…オーディオ装置、２…スマートフォン、３…ＥＱ設定支援センタシステム、４…ＷＡＮ、３１…ＥＱ設定データ提供サーバ、３２…ＥＱ設定データＤＢ、１０１…入力装置、１０２…スピーカ、１０３…音声出力装置、１０４…表示装置、１０５…デバイスインタフェース、１０６…制御部、１０７…メディアプレイヤ、１０８…ラジオ受信機、１０９…ディスクドライブ、１１０…記憶装置、２０１…記憶部、２０２…操作部、２０３…ディスプレイ、２０４…音声入出力部、２０５…ホストインタフェース、２０６…移動通信装置、２０７…オペレーティングシステム、２０８…移動電話アプリケーション、２０９…オーディオ設定アプリケーション。
【図１】
2014027514.tif 000003
【図２】
2014027514.tif 000004
【図３】
2014027514.tif 000005
【図４】
2014027514.tif 000006